(57)【特許請求の範囲】
【請求項１】
２軸延伸ブロー成形品である壜本体の胴部の後部に形成された凹部に２軸延伸ブロー成形時にインサート材として組付け固定される合成樹脂製把手体であって、
縦長板状の把持部の上下端部に前方に向けてそれぞれ組付アームを連設し、該上下の組付アームの先端部に、その上面からそれぞれ上方へ突出して前記壜本体の周壁にアンダーカット状の組付きをする上方係止爪片と、前記上下の組付アームの少なくとも一方において、上方係止爪片の先端面に隣接させて該組付アームの左右側面から左右に突出する左右一対の側方係止爪片とを突設し、
前記上方係止爪片の基部近傍において前記一方の組付アームの側面と上面から形成される角部を角取りし、該角取りにより前記一方の組付アームの側面から上面にかけての部分に、前記側方係止爪片の背面側において、前記上方係止爪片の左右両側端面から背面に至る部分の基部に沿うように左右一対の傾斜面を有すると共に、
前記一方の組付アームの上方係止爪片の背面側に、前記上方係止爪片の頂部から基部にかけて斜め下後方にテーパー状に形成された背面と、上方係止爪片の左右側面と前記背面により形成される角部を角取した左右一対のテーパー状の面とを有し、
前記傾斜面と前記左右一対のテーパー状の面とが前記基部において連設する構成としたことを特徴とする合成樹脂製把手体。
【請求項２】
下の組付アームの上方係止爪片の基部近傍に傾斜面を形成する構成とした請求項１記載の合成樹脂製把手体。
【発明の詳細な説明】
【技術分野】
【０００１】
本発明は、壜本体の胴部の後部に組付き固定されて使用される合成樹脂製の把手体に関するものである。
【背景技術】
【０００２】
ペットボトル等の大型の合成樹脂製壜体では、良好な掴持性を得るために胴部の後方に合成樹脂製の把手体を組付き固定して使用する場合がある。
例えば特許文献１には、このような把手付き壜体の代表的な例として、縦長板状の把持部の上下端部にそれぞれ組付アームを前方へ連設し、かつそれぞれの組付アームの先端部に係止爪片を突設した射出成形による把手体をインサート材として壜本体を２軸延伸ブロー成形することにより、把手体を壜本体にアンダーカット状に強固に組付けてなる把手付き壜体が記載されている。
【特許文献１】特開２０００−４３８８７号公報
【発明の開示】
【発明が解決しようとする課題】
【０００３】
しかし、壜本体と把手体とを同じ合成樹脂材料、例えばポリエチレンテレフタレート（以下、ＰＥＴと略称する）樹脂を使用して把手付き壜体を成形する場合、ＰＥＴ樹脂製の把手体をインサート材として、ＰＥＴ樹脂製の壜本体を２軸延伸ブロー成形すると、同じ樹脂同士で溶着し易く、滑りが悪いので、両者の接触部分、特に、把手体の上下の組付アームの先端に突出している係止爪片と接触しながら延伸する壜本体の周壁部分に、穴があいてしまう等の成形不良が発生し易いと云う問題がある。
【０００４】
また、把手体をインサート材とした壜本体の２軸延伸ブロー成形においては、延伸状に膨張変形する樹脂が、まず把手体の上下の組付アームの先端面に衝突し、次に先端部に突設された係止爪片の形状に沿って変形することにより、係止爪片が壜本体の胴部周壁にアンダーカット状に組付くが、
膨張変形により樹脂の延伸が進行するのに伴なって、所謂、ストレインハードニング現象により、係止爪片の形状に忠実に沿った膨張変形が難しくなると、係止爪片の背面側への樹脂の回り込みが不十分で、緩やかなアンダーカット状態となって組付き強度が不十分になり、把手がガタつく、さらには内容液を充填した壜体を落下した場合等、大きな衝撃荷重が作用した場合に壜本体の周壁が大きく変形し、係止爪片が脱係止して把手体が外れてしまう等の問題が生じる場合がある。
生産性を上げるために成形速度をより大きくしたり、あるいはより大型壜体を成形する場合には、上記したストレインハードニング現象がより顕著となるので、特に係止爪片自体、あるいはその近傍の形状設計は生産性と組付き強度を両立するために極めて重要な構成要件である。
【０００５】
そこで本発明は、２軸延伸ブロー壜体にインサート材として組付き固定される合成樹脂製把手体において、高い生産性を保持しながらアンダーカット状の高い組付き強度が実現可能な組付アームの先端部の構造を創出することを技術的な課題とし、もって高い生産性で、十分な組付き強度を有する把手付き壜体を提供することを目的とする。
【課題を解決するための手段】
【０００６】
上記技術的課題を解決する手段における本発明の主たる構成は、
２軸延伸ブロー成形品である壜本体の胴部の後部に形成された凹部に２軸延伸ブロー成形時にインサート材として組付け固定される合成樹脂製把手体であって、
縦長板状の把持部の上下端部に前方に向けてそれぞれ組付アームを連設し、この上下の組付アームの先端部に、その上面からそれぞれ上方へ突出して壜本体の周壁にアンダーカット状の組付きをする上方係止爪片と、
上下の組付アームの少なくとも一方において、上方係止爪片の先端面に隣接させてこの組付アームの左右側面から左右に突出する左右一対の側方係止爪片とを突設し、
上方係止爪片の基部近傍において一方の組付アームの側面と上面から形成される角部を角取りし、この角取りにより一方の組付アームの側面から上面にかけての部分に、側方係止爪片の背面側において、上方係止爪片の左右両側端面から背面に至る部分の基部に沿うように左右一対の傾斜面を有すると共に、
一方の組付アームの上方係止爪片の背面側に、上方係止爪片の頂部から基部にかけて斜め下後方にテーパー状に形成された背面と、上方係止爪片の左右側面と背面により形成される角部を角取した左右一対のテーパー状の面とを有し、
傾斜面と前記左右一対のテーパー状の面とが前記基部において連設する構成としたことを特徴とする、
と云うものである。
【０００７】
上記構成中あるいは以降の説明において、把手体に係る前後方向、左右方向等の向きに係る記載は、壜本体の胴部の後部に組付き固定した姿勢を基準として決めたものであり、前後方向は壜本体の後部周壁に対向する側を前側(前面、正面、先端面）、その反対側を後側（後面、背面）と定義する。
そして、前後方に直交する方向を左右方向（側面）と定義する。
また、必要に応じて上下の組付アームのそれぞれを、上の組付アーム、下の組付アームと記載して区別すると共に、同様に上下の組付アームに突設される各種の係止爪片についても上の係止爪片、下の係止爪片として区別する。
【０００８】
内容液を充填した壜体を落下した際における衝撃荷重の集中様式や、把手体が組付き固定する壜本体の凹部の周壁の湾曲形状を考慮して、上下の組付アームについてそれぞれ係止爪片の突設態様を選択するが、
本願発明の把手体は、それぞれの組付アームの先端部の上面からそれぞれ上方へ突出する上方係止爪片を有するものである。
【０００９】
そして、上下の組付アームの少なくとも一方において、上方係止爪片の先端面に隣接させてこの組付アームの左右側面から左右に突出する左右一対の側方係止爪片を突設すると共に、上方係止爪片の基部近傍において組付アームの側面と上面から形成される角部を角取りし、この角取りにより前記した一方の組付アームの側面から上面にかけての部分に、前記側方係止爪片の背面側において、上方係止爪片の左右両側端面から背面に至る部分の基部に沿うように左右一対の傾斜面を形成する構成とすることにより、
把手体をインサート材とした２軸延伸ブロー成形において、樹脂の膨張変形を上記傾斜面に沿って進行させて、樹脂が側方係止爪片の背面側へ十分回り込むことが可能となり、アンダーカット状の組付き強度を十分にして、左右横方向、上下縦方向、前後方向への荷重による、特には横方向への力の作用による把手体のガタつきや、衝撃荷重による上方係止爪片の脱係止に起因する把手体の外れを効果的に防止することができる。
【００１０】
２軸延伸ブロー成形では加熱されて軟化温度以上の高温状態にある試験管状のプリフォームが延伸状に膨張変形し、まず把手体の組付アームの先端面に衝突し、次に先端部に突設された係止爪片（ここでは上方係止爪片と両側方係止爪片）の形状に沿って、これら係止爪片を包み込むように越えて組付アームの上下面と両側面に回り込むが、上記構成における傾斜面は特にこの両側面での樹脂の変形をスムーズにすることを狙ったものであり、これにより樹脂が側方係止爪片の背面に沿って密着状に変形することができ、係止効果をガタのない強固なものとすることができる。
【００１１】
ここで、左右横方向の力の作用に対する組付き強度を強化するために、側方係止爪片の突出高さを大きくすることが考えられるが、このように突出高さを大きくすると、延伸状に膨出変形する樹脂が当該高さを越える際に、引掛かって樹脂が破れてしまう場合があって、この突出高さにも限界がある。
上記傾斜面を含む本願の組付アームの先端部の構造に係る構成は、このような係止爪片による組付き強度に係る限界を考慮して創出された形状であり、特に今までにない位置に傾斜面を配設することにより樹脂の回り込みをスムーズにして、樹脂の破れを効果的に防ぎながら、高い生産性と高い組付き強度を実現するものである。
【００１２】
なお、傾斜面は、内容液を充填した壜体を落下した際の衝撃荷重の集中様式や、把手体が組付き固定する凹部の周壁の湾曲形状を考慮して、上下の組付アームのいずれか一方に形成することもできるし、双方に形成することもできる。
また、傾斜面を形成するに際しての角取りの角度、角取りの深さ、そして上方係止爪片の基部から後方にかけてどの程度の範囲で角取りするかは、上記した側方係止爪片の背面側への樹脂の回り込みの程度や、組付アーム自体の強度を考慮して決めることができる。
【００１６】
また組付アームの先端部に突設される上方係止爪片の形状に係るもので、上方係止爪片の背面をテーパー状とすることにより、上方係止爪片の頂部を乗り越えて、下の組付アームの上面方向に膨張変形する樹脂をテーパー状の背面に沿ってスムーズに変形させることができ、組付アームの側面から上面にかけて形成する傾斜面の作用効果と相俟って、アンダーカット状の組付き強度をより強固なものとすることができる。
【００１８】
また組付アームの先端部に突設される上方係止爪片の形状に係るもので、上方係止爪片の側端面と背面により形成される角部を角取してテーパー状とすることにより、組付アームの側面から上面にかけて形成する傾斜面の作用効果と相俟って、側方係止爪片の背面側への樹脂の回り込みをよりスムーズに達成することが可能となる。
また本発明の他の構成は上記主たる構成において、下の組付アームの上方係止爪片の基部近傍に傾斜面を形成する、と云うものである。
多くの場合、上の組付アームに比較して下の組付アーム近傍では周壁の延伸の程度が大きくなり、側方係止爪片の左右側端面から背面側への樹脂の回り込みはより困難となるが、下の組付アームの上方係止爪片の基部近傍に傾斜面を形成することにより、樹脂の膨張変形をこの傾斜面に沿って進行させて、樹脂を側方係止爪片の背面側へ十分回り込ませることができる。
【発明の効果】
【００１９】
本発明は、上記した構成となっており、本発明の主たる構成にあっては以下に示す効果を奏する。
すなわち、組付アームの側面と上面から形成される角部を角取りし、この角取りにより組付アームの側面から上面にかけての部分に、側方係止爪片の背面側において、上方係止爪片の左右両端面から背面に至る部分の基部に沿うように傾斜面を形成することにより、把手体をインサート材とした２軸延伸ブロー成形において、樹脂の膨張変形を上記傾斜面に沿って進行させて、樹脂を側方係止爪片の背面側へ十分の回り込ませることができるようになり、アンダーカット状の組付き強度を十分にして、左右横方向、上下縦方向、前後方向への力の作用による把手体のガタつきや、衝撃荷重による係止爪片の脱係止に起因する把手体の外れを効果的に防止することができる。
【発明を実施するための最良の形態】
【００２０】
以下、本発明の実施の形態を実施例に沿って図面を参照しながら説明する。
図１は本発明の合成樹脂製把手体の一実施例を、壜本体１の後部に形成された凹部２に組付け固定した状態を示す側面図であり、図２はこの把手体３の正面図、図３は側面図、図４の（ａ）は上面図、（ｂ）は底面図、図５は把手体３の下の組付アーム８の先端部近傍の、（ａ）は側面図、（ｂ）は上面図、（ｃ）は（ａ）中のＣ−Ｃ線に沿って矢視した縦断面図である。
【００２１】
図１の壜本体１は容量が１．８Ｌ用のもので、ＰＥＴ樹脂製の２軸延伸ブロー成形品であり、壜本体１の胴部の後部に形成された凹部２に、同じくＰＥＴ樹脂製の射出成形品である把手体３が、インサート材として組付き固定している。
【００２２】
把手体３は上記したようにＰＥＴ樹脂製の射出成形品で、縦長板状の把持部４の上端部および下端部から、上の組付アーム６および下の組付アーム８をそれぞれ前方へ連設して構成されており、把持部４は、前後に位置する前側板片４ｆと後側板片４ｂを中央リブ５で連結するようにした断面Ｈ型構造状である。（図３中に付加した、Ａ−Ａ線に沿った平断面図参照）
また、上の組付アーム６及び下の組付アーム８の基端部から先端部にかけての部分も同様に断面Ｈ型構造としている。（図３中に付加した、Ｂ−Ｂ線に沿った平断面図参照）
【００２３】
次に、本実施例の把手体３のインサート成形時に、壜本体１の周壁１ｐにアンダーカット状に組付き固定する係止部位について説明する。
上の組付アーム６の先端部には、この組付アーム６の上面６ｔを基部として上方係止爪片７を真直ぐ上方へ起立突設しており、この上方係止爪片７が上の組付アーム６に係る係止部位としての機能を発揮する。
【００２４】
一方、下の組付アーム８は、上方へ彎曲しながら形成されているが、先端部にこの組付アーム８の上面８ｔを基部として上方係止爪片９が真直ぐ上方へ起立突設している。
また、この上方係止爪片９の先端面に隣接させて、組付アーム８の左右側面８ｓから左右方向に一対の側方係止爪片１６を突設すると共に、下面８ｄから下方に下方係止爪片１７を突設している。
そして、上記、上方係止爪片９と側方係止爪片１６と下方係止爪片１７が相俟って下の組付アーム８に係る係止部位としての機能を発揮する。
【００２５】
ここで、図１に示す例では内容液を充填した壜体を落下した際における衝撃荷重の集中様式や、把手体３が組付き固定する凹部２の周壁１ｐの湾曲形状や、上の組付アーム６に比較して下の組付アーム８近傍での周壁１ｐの延伸の程度が大きいこと等を考慮すると、下の組付アーム８に係る係止部位の構造は把手体３の組付き強度を決める上でより重要で、さらに下の組付アーム８に係る係止部位に作用する力の作用を考慮して、本実施例では下の組付アーム８に係る係止部位を上記した３種の係止爪片で構成するようにしている。
【００２６】
次に、下の組付アーム８の上方係止爪片９およびその近傍における細部の構造について図５を参照して説明する。
上方係止爪片９の形状は基本的には横長の矩形板状であるが、背面９ｂを頂部から基部１０にかけて斜め下後方にテーパー状としている。（図５（ａ）参照）
また、側端面９ｓと背面９ｂで形成される角部についても角取してテーパー状としている。（図５（ｂ）参照）
【００２７】
そして、上方係止爪片９の基部１０近傍において組付アーム８の側面８ｓと上面８ｔから形成される角部を角取りし（図５（ｃ）参照）、組付アーム８の側面８ｓから上面８ｔにかけての部分に、側方係止爪片１６の背面側において、上方係止爪片９の左右両側端面９ｓから背面９ｂに至る部分の基部１０に沿うように傾斜面１１を形成するようにしている。
【００２８】
図６は、上記実施例の把手体３と比較するための比較例の把手体３の下の組付アーム８の先端部近傍の形状を示すものであり、（ａ）は側面図、（ｂ）は上面図、（ｃ）は（ａ）中のＤ−Ｄ線に沿って矢視した縦断面図である。
この比較例は、実施例において形成した傾斜面１１の作用効果をみるためのものであり、傾斜面１１を形成していないことを除いて他の形状は実施例のものと同様である。
【００２９】
実施例と比較例の把手体３をインサート材として図１に示される把手付き壜体を２軸延伸ブロー成形した。
図７（ａ）は図５（ｃ）を用いて示す、実施例の把手体の側方係止爪片１６の背面側への樹脂の回り込み状態を示す概略説明図であり、図７（ｂ）は図６（ｃ）を用いて示す、比較例の把手体の側方係止爪片１６の背面側への樹脂Ｒの回り込み状態を示す概略説明図である。
なお、図７（ａ）、（ｂ）では樹脂Ｒの回り込み状態を太い二点鎖線で示しており、側方係止爪片１６の背面における樹脂Ｒの回り込み領域をクロスハッチングで示している。
【００３０】
上記比較から判るように、実施例の把手体３を使用したものでは図７（ａ）中のクロスハッチングした領域に示されるように、樹脂Ｒが傾斜面１１に沿って側方係止爪片１６の背面側に深く回り込んで、しかも樹脂Ｒが側方係止爪片１６の背面に沿って密着状に変形しており、アンダーカット状の組付きが強固に発揮され、上下、前後、左右方向の力の作用に対してガタつきもなく、また内容液を充填した状態で壜体を落下して大きな衝撃荷重を作用させた場合にも係止爪片の脱係止に起因する把手体３の外れのないものであった。また、成形時における樹脂Ｒの破れ等の問題の発生もないものとすることができた。
【００３１】
一方、比較例の把手体３を使用した場合には図７（ｂ）に示されるように、側方係止爪片１６の背面９ｂへの樹脂Ｒの回り込みは浅く、しかも樹脂Ｒと側方係止爪片１６と背面９ｂが隙間のある緩やかなアンダーカット状態となっており、特に左右方向の力の作用に対して、ガタつきがあったり、大きな衝撃荷重を作用させた場合に上方係止爪片９や側方係止爪片１６の脱係止に起因する把手体３の外れが生じる場合が見られた。
また、成形において樹脂Ｒの破れが発生することもあった。
【００３２】
以上、実施例に沿って本発明の実施の形態を説明したが、勿論本発明はこの実施例に限定されるものではない。
たとえば、上記実施例では下の組付アーム８の組付き強度を重視して、側方係止爪片１６を突出形成すると共に上方係止爪片９の基部近傍の角部に傾斜面１１を形成する構成としたが、壜本体の形状や容量（充填時の重量）や、衝撃時の荷重の集中様式を考慮して、上の組付アーム６の組付き強度が重視される場合には同様な構成とすることがき、さらに上下の組付アームをそれぞれ同様な構成とすることもできる。
また、勿論のことではあるが、組付き固定する壜本体の容量は１．８Ｌに限定されるものではないし、ＰＥＴ樹脂製に限定されるものでもない。
【産業上の利用可能性】
【００３３】
以上説明したように本発明の合成樹脂製把手体は、高い生産性を保持しながら高いアンダーカット組付き強度を実現したものであり、２軸延伸ブロー成形による大型の把手付き壜体としての幅広い使用展開が期待される。
【図面の簡単な説明】
【００３４】
【図１】本発明の把手体の一実施例を壜本体の後部に組付け固定した状態を示す側面図である。
【図２】図１に示した把手体の正面図である。
【図３】図１に示した把手体の側面図である。
【図４】図１に示した把手体の（ａ）は上面図、（ｂ）は底面図である。
【図５】図１に示した把手体の下の組付アームの先端部近傍の、（ａ）は側面図、（ｂ）は上面図、（ｃ）は（ａ）中のＣ−Ｃ線に沿って矢視した縦断面図である。
【図６】比較例の把手体の下の組付アームの先端部近傍の、（ａ）は側面図、（ｂ）は上面図、（ｃ）は（ａ）中のD−Ｄ線に沿って矢視した縦断面図である。
【図７】（ａ）は図５（ｃ）を用いて示す実施例の把手体の、（ｂ）は図６（ｃ）を用いて示す比較例の把手体の、側方係止爪片の背面側への樹脂の回り込み状態を示す概略説明図である。
【符号の説明】
【００３５】
１  ；壜本体
１ｐ；周壁
２  ；凹部
３  ；把手体
４  ；把持部
４ｆ；前側板片
４ｂ；後側板片
５  ；中央リブ
６  ；（上の）組付アーム
６ｔ；上面
６ｓ；側面
７  ；（上の）上方係止爪片
８  ；（下の）組付アーム
８ｔ；上面
８ｓ；側面
８ｄ；下面
９  ；（下の）上方係止爪片
９ｓ；側端面
９ｂ；背面
１０；基部
１１；傾斜面
１６；側方係止爪片
１７；下方係止爪片
Ｒ  ；樹脂
【図１】
0005212863.tif 000002
【図２】
0005212863.tif 000003
【図３】
0005212863.tif 000004
【図４】
0005212863.tif 000005
【図５】
0005212863.tif 000006
【図６】
0005212863.tif 000007
【図７】
0005212863.tif 000008